(57)【要約】【課題】飲料缶又は缶詰缶のタブを軽く、したがって指を損傷することなく引き起こせるようにした缶蓋を提供する。【解決手段】タブ（２３，５０）　をタブ本体（２３０，５１）と摘まみ片（２３１，５２）とから構成する。タブ本体はその一部をスコア（２１０，４３）で囲まれる領域に重ならせて取付け部（２４）によって缶蓋本体（２１）に固定する。摘まみ片はタブ本体に缶蓋本体の面にほぼ平行な枢支軸（２３５）　回りに揺動可能に枢支する。摘まみ片は缶蓋本体の外縁を越えないような長さを有するとともに、缶蓋本体の面を基準として摘まみ片に指先を引っ掛け又は摘まみ片と缶蓋本体の面との間に指先を差し込み得る角度を少なくとも含む所定角度までの角度範囲内にその揺動を規制する。【選択図】　図３
2004043007.tif 000002
【特許請求の範囲】
【請求項１】
缶蓋本体の外周には缶の上端開口縁に結合される起立壁部分が連続して形成される一方、上記缶蓋本体にはスコアが開口形状に刻設されるとともに、タブが少なくともその一部を上記スコアで囲まれる領域に重ならせて取付け部によって固定されており、上記タブの後端側を引き起こすことによって上記タブの先端側部分が上記スコアで囲まれる領域を押圧して少なくともスコアの一部を破断し、開口を形成できるようにした缶詰又は飲料缶用の缶蓋において、
上記タブは少なくとも一部を上記スコアで囲まれる領域に重ならせて取付け部によって固定されたタブ本体と、該タブ本体に上記缶蓋本体の面にほぼ平行な枢支軸回りに揺動可能に枢支された摘まみ片とから構成されている一方、
上記摘まみ片は上記缶蓋本体の外縁を越えないような長さを有するとともに、上記缶蓋本体の面を基準として上記摘まみ片に指先を引っ掛け又は上記摘まみ片と上記缶蓋本体の面との間に指先を差し込み得る角度を少なくとも含む所定角度までの角度範囲内にその揺動を規制されていることを特徴とする缶蓋。
【請求項２】
上記摘まみ片又はタブ本体には上記タブ本体又は摘まみ片と当接し、上記摘まみ片の揺動を上記所定角度以下に規制する当たり止め部が設けられている請求項１記載の缶蓋。
【請求項３】
上記所定角度は上記摘まみ片の先端が上記缶蓋本体の外縁の高さを越えないような角度である請求項１又は２記載の缶蓋。
【請求項４】
上記缶蓋本体のスコアの破断によって形成される開口が飲料缶の飲み口である請求項３記載の缶蓋。
【請求項５】
上記摘まみ片及びタブ本体はピン受け部が形成され、該摘まみ片及びタブ本体のピン受け部には上記枢支軸が挿通されることによって上記摘まみ片がタブ本体に揺動可能に枢支されている一方、
上記摘まみ片のピン受け部は上記スコアの押圧破断に上記タブ本体の傾動する部分の横幅と実質的に等しいか又は大きい横幅を有するようになした請求項１ないし４のいずれかに記載の缶蓋。
【請求項６】
上記缶蓋本体のスコアの破断によって形成される開口が缶詰の中身の取出し口である請求項１又は２記載の缶蓋。
【請求項７】
上記摘まみ片部は粘着シールによって上記缶蓋本体に貼り付けられている請求項１ないし６のいずれかに記載の缶蓋。
【請求項８】
缶蓋本体の外周には缶の上端開口縁に結合される起立壁部分が連続して形成される一方、上記缶蓋本体にはスコアが開口形状に刻設されるとともに、タブが少なくともその一部を上記スコアで囲まれる領域に重ならせて取付け部によって固定されており、上記タブの後端側を引き起こすことによって上記タブの先端側部分が上記スコアで囲まれる領域を押圧して少なくともスコアの一部を破断し、開口を形成できるようにした缶詰用の缶蓋において、
上記タブはその先端を上記スコアに近接して上記缶蓋本体に取付け部によって固定されたタブ本体と、該タブ本体に上記缶蓋本体の面にほぼ平行な枢支軸回りに揺動可能に枢支された摘まみ片とから構成され、
該摘まみ片は上記缶蓋本体の外縁を越えないような長さを有することを特徴とする缶蓋。
【請求項９】
上記摘まみ片部は粘着シールによって上記缶蓋本体に貼り付けられている請求項８記載の缶蓋。
【発明の詳細な説明】
【０００１】
【発明の属する技術分野】
本発明は缶蓋に関し、例えば飲料缶や缶詰のタブを軽く、したがって指を損傷することなく引き起こして開口を形成できるようにした構造に関する。
【０００２】
【従来の技術】
例えば、ビール、ジュース、コーヒー等の飲料は飲料缶に詰められて販売されることが多い。かかる飲料缶では缶蓋に相互に離れた２点から飲み口の形状にスコア（破断容易線）を刻設し、スコアに隣接してタブの中央をリベットで固定しておき、タブと缶蓋との間に指先を差し込んでタブに指を引っ掛けると、タブの先端側が下方に傾動してタブの先端側部分がスコアで囲まれた領域を押圧してスコアの一部を破断し、さらにタブを引き起こすとスコアが全て破断され、飲み口を形成するようになっている。
【０００３】
しかし、従来の缶蓋ではタブはリベットによって缶蓋にほぼ重なるように固定され、タブ指先を引っ掛けるとスコアの一部が破断されるようになっているので、タブに指先を引っ掛けるのが難しく、爪を使ってタブを引き起こそうとすると、爪に無理な負担が加わって指が損傷するおそれがあった。
【０００４】
そこで、タブを軽く引き起こせるようにした缶蓋が種々提案されている（特開平０５−１７８３４５号公報、特開平０５−３０５９４５号公報、特開平０６−９２３５４号公報、特開平０６−４８４４２号公報、特開平０６−１５６４８８号公報、特開平０６−２７０９３７号公報、特開平１０−３５６６２号公報、特開平１０−２３６４７４号公報、特開平１０−２３６４５７号公報、特開平１０−２９６３６２号公報、特開平１１−１０５８６９号公報、特開平１１−３２１８６２号公報、特開平１１−２７８４８４号公報、特開２０００−１２８１６７号公報、特開２０００−３３５５７６号公報、特開２００１−１９９４４１号公報、実開平０５−２２３９８号公報、等参照）。
【０００５】
例えば、実用新案登録第３００５９８２号ではタブに把持部を枢支し、把持部を枢支軸回りに起こして二指で掴み、タブを引き起こすようにした方式が提案されている。また、特開平０８−１１９２７６号公報ではタブに把持部を枢支し、把持部を枢支軸回りに起こし、缶蓋外周縁の起立壁部分を支点とし、てこの原理を二段階に利用するようにした方式が提案されている。
【０００６】
【発明が解決しようとする課題】
ところで、缶飲料は自動販売機を利用して販売されることが一般的であるが、上記枢支式の缶蓋では缶飲料を自動販売機にセットすると、自動販売機内を移動する、例えば落下する時に把持部が缶蓋から起立し、自動販売機内で引っ掛かって止まってしまうということが懸念される。
【０００７】
本発明は、かかる問題点に鑑み、タブの引起こし性を確保しつつ、自動販売機内に引っ掛かって止まってしまうことのないようにした缶蓋を提供することを課題とする。
【０００８】
本件発明者は上述の課題を解決すべく鋭意研究した結果、タブをタブ本体と揺動可能な摘まみ片とから構成し、摘まみ片の揺動角度を摘まみ片の先端が缶蓋の起立壁部分を越えないような角度以下に規制すると、摘まみ片に簡単に指先を引っ掛けあるいは摘まみ片と缶蓋との間に簡単に指先を差し込むことができるとともに、自動販売機内にセットしても引っ掛かって止まってしまうおそれがないことを着目するに至った。
【０００９】
また、調理済みの魚や肉、果物を詰めた缶詰では缶蓋の起立壁部分の内側全周にスコア刻設しているが、飲料缶と同様の方式で缶詰の取出し口を形成するようになっている。缶詰は自動販売機にセットされることは少ないが、取出し口をあける時に爪に無理な負担が加わって指が損傷するおそれがあるので、上述の考え方は缶詰にも適用できる。
【００１０】
【課題を解決するための手段】
そこで、本発明に係る缶蓋は、缶蓋本体の外周には缶の上端開口縁に結合される起立壁部分が連続して形成される一方、上記缶蓋本体にはスコアが開口形状に刻設されるとともに、タブが少なくとも一部を上記スコアで囲まれる領域に重ならせて取付け部によって固定されており、上記タブの後端側を引き起こすことによって上記タブの先端側部分が上記スコアで囲まれる領域を押圧して少なくともスコアの一部を破断し、開口を形成できるようにした缶詰又は飲料缶用の缶蓋において、上記タブは少なくとも一部を上記スコアで囲まれる領域に重ならせて取付け部によって固定されたタブ本体と、該タブ本体に上記缶蓋本体の面にほぼ平行な枢支軸回りに揺動可能に枢支された摘まみ片とから構成されている一方、上記摘まみ片は上記缶蓋本体の外縁を越えないような長さを有するとともに、上記缶蓋本体の面を基準として上記摘まみ片に指先を引っ掛け又は上記摘まみ片と上記缶蓋本体の面との間に指先を差し込み得る角度を少なくとも含む所定角度までの角度範囲内にその揺動を規制されていることを特徴とする。
【００１１】
本発明の特徴の１つはタブをタブ本体と摘まみ片とから構成し、摘まみ片をタブ本体に対して揺動可能とするとともに缶蓋本体の外縁を越えない長さとし、又摘まみ片部の揺動を所定の角度範囲内に規制するようにした点にある。
【００１２】
これにより、缶蓋を開口する場合には摘まみ片を缶蓋本体から浮く方向に少し揺動させると、摘まみ片部を簡単に掴むことができるので、摘まみ片を引き上げてタブ本体を規制角度まで揺動させると、スコアの少なくとも一部を破断させることができ、従来のように爪を使って引き起こす必要がなく、指を損傷するおそれもない。
【００１３】
摘まみ片はどのような方法によってその揺動を規制するようにしてもよい。例えば、摘まみ片部又はタブ本体にはタブ本体又は摘まみ片と当接する当たり部を設け、摘まみ片の揺動を所定角度以下に規制するようにしてもよい。
【００１４】
当たり部は突起状でもよく、突片状でもよい。当たり部によって摘まみ片の揺動を規制するようにすると、缶蓋を開口する時に摘まみ片がタブ本体に対して所定の角度をなした状態で保持され、摘まみ片とタブ本体とが一体化したような挙動を示すので、従来の一体型のタブの場合と同様に押圧力がタブ本体の先端側に効率よく伝わり、スコアを容易に破断できる。
【００１５】
また、摘まみ片の先端が缶蓋本体周縁の起立壁部分を越えないように摘まみ片の揺動を規制すると、缶飲料が自動販売機内を移動している時に自動販売機内部に引っ掛かるおそれもない。
【００１６】
飲料缶の場合、缶蓋本体のスコアの破断によって形成される開口は飲料缶の飲み口となる。また、缶詰の場合には缶蓋本体のスコアの破断によって形成される開口は缶詰の中身の取出し口となる。
【００１７】
タブ本体と摘まみ片とを揺動可能に枢支してタブを構成すると、飲料缶用の缶蓋の場合にはタブの構造上及びタブと飲み口との位置関係上、枢支部分の強度が強くないと摘まみ片を引き上げた時に枢支部分で変形し破断するおそれがある。
【００１８】
そこで、摘まみ片及びタブ本体にはピン受け部が形成され、該摘まみ片及びタブ本体のピン受け部には枢支軸が挿通されることによって摘まみ片がタブ本体に揺動可能に枢支されている一方、摘まみ片のピン受け部は上記スコアの押圧破断に上記タブ本体の傾動する部分の横幅と実質的に等しいか又は大きい横幅を有するように構成するのがよい。
【００１９】
また、摘まみ片は粘着シールによって缶蓋本体に貼り付けるようにしてもよく、この場合には粘着シールを剥がして粘着シールを引っ張ることにより摘まみ片が簡単に揺動起立し、タブ本体を引き起し易くなる一方、タブの摘まみ片が起立して自動販売機内に引っ掛かるおそれをより確実に解消できる。
【００２０】
缶詰用の缶蓋の場合，自動販売機にセットすることは少ないので、摘まみ片部の揺動角度を規制する必要がない。
【００２１】
本発明によれば、缶蓋本体の外周には缶の上端開口縁に結合される起立壁部分が連続して形成される一方、上記缶蓋本体にはスコアが開口形状に刻設されるとともに、タブが少なくともその一部を上記スコアで囲まれる領域に重ならせて取付け部によって固定されており、上記タブの後端側を引き起こすことによって上記タブの先端側部分が上記スコアで囲まれる領域を押圧して少なくともスコアの一部を破断し、開口を形成できるようにした缶詰用の缶蓋において、上記タブはその先端を上記スコアに近接して上記缶蓋本体に取付け部によって固定されたタブ本体と、該タブ本体に上記缶蓋本体の面にほぼ平行な枢支軸回りに揺動可能に枢支された摘まみ片とから構成され、該摘まみ片は上記缶蓋本体の外縁を越えないような長さを有することを特徴とする缶蓋を提供することができる。
【００２２】
この缶蓋の場合にも摘まみ片部を粘着シールによって缶蓋本体に貼り付けるようにすると、輸送中等に摘まみ片部がカタカタ揺れないので、普通の缶詰と同様に扱える。
【００２３】
また、飲料缶及び缶詰のいずれの缶蓋においても衛生確保の観点から、缶蓋の全体にキャップ、フィルムあるいはシールを被せ、あるいは飲料缶の飲み口をシールやフィルムで封鎖してもよい。
【００２４】
【発明の実施の形態】
以下、本発明を図面に示す具体例に基づいて詳細に説明する。図１ないし図４は本発明に係る缶蓋の好ましい実施形態を示し、これは飲料缶の缶蓋に適用した例である。図において、缶１０は適切な金属材料、例えばアルミニウム系合金を用いて所定高さの有底ほぼ円筒状に成形され、缶１０の上端開口縁には缶蓋２０の起立壁部分２２が嵌め合わされ、締めつけられて固定されている。
【００２５】
缶蓋２０は缶蓋本体２１とその外周縁に連続して形成された起立壁部分２２とから構成され、缶蓋本体２１にはほぼ中央の相互に間隔をあけた２つの終端の間から起立壁部分２２の近傍にかけてスコア２１０が飲み口（開口）の形状に刻設されている。
【００２６】
また、缶蓋本体２１にはタブ２３が固定されている。タブ２３はタブ本体２３０と摘まみ片２３１とから構成され、タブ本体２３０はその一部をスコア２１０によって囲まれる領域の上に重ねられてリベット（取付け部）２４によって缶蓋本体２３０に固定されている。また、タブ本体２３０にはタブ本体２３０がリベット２４を支点として傾動し得るように円弧状の長溝２３２が形成されている。
【００２７】
摘まみ片２３１はリング状をなし、摘まみ片２３１のタブ本体２３０と対向する端縁部分の両側にはピン受け部２３３が、タブ本体２３０の摘まみ片２３１と対向する端縁部分の中央にはピン受け部２３４が各々形成され、両ピン受け部２３３、２３４には連結ピン２３５が挿通して取付けられ、摘まみ片２３１はタブ本体２３０に対して揺動可能に枢支されている。
【００２８】
さらに、摘まみ片２３１のピン受け部２３３には突起（当たり部）２３６が形成され、タブ本体２３０には突起２３６に対応する位置に凹部２３７が形成されており、摘まみ片２３１の突起２３６がタブ本体２３０の凹部２３７に嵌まり込んで当接することにより、缶蓋本体２１の面を基準として摘まみ片２３１に指先を引っ掛けあるいは摘まみ片２３１と缶蓋本体２１の面との間に指先を差し込み得る角度を少なくとも含みかつ摘まみ片２３１の先端が缶蓋２０の起立壁部分２２の高さを越えない所定角度までの角度範囲内にその揺動が規制されている。
【００２９】
摘まみ片２３１のピン受け部２３３の長さｂはスコア２１０の押圧破断にタブ本体２３０の傾動する部分、即ちタブ本体２３０の側辺部分の幅ａよりも大きく設定され、飲み口の開口時に摘まみ片２３１のピン受け部２３３が変形しあるいは破断しないようにしている。
【００３０】
飲料缶の飲み口をあける場合、摘まみ片２３１がタブ本体２３０に対して揺動可能となっているので、摘まみ片２３１を親指は人指し指の二指で簡単に摘まむことができる。そこで、摘まみ片２３１をタブ本体２３０に対して上方に引き上げると、突起２３６がタブ本体２３０の凹部２３７に嵌まり込んでその底面に当たり、摘まみ片２３１はタブ本体２３０に対してそれ以上揺動できなくなる。さらに、摘まみ片２３１を引き上げると、タブ本体２３０の先端側部分がスコア２１０で囲まれた領域と当たり、今度はリベット２４を支点としてタブ本体２３０と摘まみ片２３１とが傾動しつつ、タブ本体２３０の先端側部分がスコア２１０で囲まれた領域を押圧し、スコア２１０の一部が破断し、更に摘まみ片２３１を引き上げるとスコア２１０が完全に破断し、飲み口が開口される。
【００３１】
このように、摘まみ片２３１を簡単に摘んで揺動させることによってタブ２３を容易に引き上げ、スコア２１０を破断させることができ、従来のように爪を使って引き起こす必要がなく、指を損傷するおそれもない。
【００３２】
また、摘まみ片２３１の先端が缶蓋本体２１周縁の起立壁部分２２の高さを越えないように摘まみ片２３１の揺動を規制しているので、缶飲料を自動販売機内にセットして販売する場合にも缶飲料が自動販売機内部に引っ掛かるおそれもない。
【００３３】
図５ないし図７は第２の実施形態を示し、これは飲料缶の缶蓋に適用した例であり、図において図１ないし図４と同一符号は同一又は相当部分を示す。本例では突起２３６に代え、タブ本体２３０のピン受け部２３４の一部を切り起こし、さらに有底円筒の半部の形状に加工することによって突片（当たり部）２３６を形成する一方、摘まみ片２３１には突片２３６に対応する部位に突片２３６が嵌まり込む凹部２３７を形成するようにしている。このように、当たり部は突片状とすることもできる。
【００３４】
なお、上記の２つの例では当たり部２３６を形成して摘まみ片２３１の揺動を規制するようにしたが、図８の第３の実施形態に示されるように、さらに粘着シール２３８によって摘まみ片２３１を缶蓋本体２１に貼りつけるようにしてもよい。なお、図示の便宜上、当たり部としての突起又は突片は図示していない。
【００３５】
図９及び図１０は本発明に係る第４の実施形態を示し、これは缶詰の缶蓋に適用した例である。図において、缶３０は適切な金属材料、例えばアルミニウム系合金を用いて高さの低い有底円筒状に成形され、缶３０の上端開口縁には缶蓋４０の起立壁部分４２が嵌め合わされ、締めつけられて固定されている。
【００３６】
缶蓋４０は缶蓋本体４１とその外周縁に連続して形成された起立壁部分４２とから構成され、缶蓋本体４１には起立壁部分４２の内側全周にそってスコア４３が中身の取出し口の形状に刻設されている。
【００３７】
また、缶蓋本体４１にはタブ５０が固定されている。タブ５０はタブ本体５１とリング状の摘まみ片５２とから構成され、タブ本体５１はその先端をスコア４３の近傍に位置させてリベット（取付け部）５３によって缶蓋本体４１に固定されている。なお、摘まみ片５２とタブ本体５１との連結構造は第１又は第２の実施形態と実質的に同様であり、容易に理解できるので、その詳細な説明は省略する。
【００３８】
摘まみ片５２は摘まみ片部５２とタブ本体５１の両当たり部の当接によって缶蓋本体４１の面を基準として摘まみ片５２に指先を引っ掛け又は摘まみ片５２と缶蓋本体４１の面との間に指先を差し込み得る角度を少なくとも含む所定角度、例えば４５度の角度範囲内にその揺動が規制されている。
【００３９】
缶蓋を開ける場合、摘まみ片部５２を親指は人指し指の二指で簡単に摘まむことができる。そこで、摘まみ片５２をタブ本体５１に対して上方に引き上げると、当たり部が相互に当接して摘まみ片５２がタブ本体５１に対してそれ以上揺動できなくなる角度まで揺動させ、さらに摘まみ片５２を引き上げると、タブ本体５１の先端がスコア４３の近傍と当たってこれを強く押圧し、スコア４３の一部が破断して缶内にエアーが入った缶の気密が破られる。最後の、摘まみ片部５２に指を引っ掛け、強く手前に引っ張ると、スコア４３が破れて取出し口が開口されることとなる。
【００４０】
図１１は缶詰用の缶蓋の第５の実施形態を示し、図において図９及び図１０と同一符号は同一又は相当部分を示す。本例ではタブ本体５１と摘まみ片５２とを大きな寸法に製作し、摘まみ片５２は缶蓋本体４１の起立壁部分４２の大きさよりも少しだけ小さいリング状となしている。
【００４１】
図１２は缶詰用の缶蓋の第６の実施形態を示し、図において図９及び図１０と同一符号は同一又は相当部分を示す。本例ではタブ本体５１を長尺帯状に製作し、摘まみ片部５２の引き上げ力が効率よくスコア４３に伝わるように工夫している。
【００４２】
図１３及び図１４は各々缶詰用の缶蓋の第７、第８の実施形態を示し、図において図１１及び図１２と同一符号は同一又は相当部分を示す。本例ではタブ本体５１及び摘まみ片部５２に当たり部を設けず、摘まみ片部５２が自由に揺動できるようにしている。
【００４３】
缶詰用の缶蓋の場合にはこのように摘まみ片部５２を任意に揺動できるようにすることもできる。但し、輸送中の摘まみ片部５２がカタカタと音を出すのが耳障りな場合には粘着シールで摘まみ片部５２を缶蓋本体４１に貼り付けるようにしてもよい。
【図面の簡単な説明】
【図１】本発明に係る缶蓋の好ましい実施形態を備えた飲料缶を示す概略斜視図である。
【図２】上記実施形態における缶蓋を示す平面図である。
【図３】上記実施形態におけるタブの動作を示す図である。
【図４】上記実施形態におけるタブの動作を示す図である。
【図５】第２の実施形態を示す平面図である。
【図６】上記実施形態における動作を示す図である。
【図７】上記実施形態における要部を示す断面図である。
【図８】第３の実施形態による缶蓋を備えた飲料缶を示す概略斜視図である。
【図９】本発明に係る缶蓋の第４の実施形態を備えた缶詰を示す平面図である。
【図１０】上記実施形態を示す要部断面側面図である。
【図１１】第５の実施形態を示す平面図である。
【図１２】第６の実施形態を示す平面図である。
【図１３】第７の実施形態を示す平面図である。
【図１４】第８の実施形態を示す平面図である。
【符号の説明】
１０　　　飲料缶
２０　　　缶蓋
２１　　　缶蓋本体
２２　　　起立壁部分
２３　　　タブ
２３０　　タブ本体
２３１　　摘まみ片
２３３、２３４　　　ピン受け部
２３５　　連結ピン
２３６　　当たり部（突起、突片）
２３８　　粘着シール
３０　　　缶詰缶
４０　　　缶蓋
４１　　　缶蓋本体
４２　　　起立壁部分
４３　　　スコア
５０　　　タブ
５１　　　タブ本体
５２　　　摘まみ片
【図１】
2004043007.tif 000003
【図２】
2004043007.tif 000004
【図３】
2004043007.tif 000005
【図４】
2004043007.tif 000006
【図５】
2004043007.tif 000007
【図６】
2004043007.tif 000008
【図７】
2004043007.tif 000009
【図８】
2004043007.tif 000010
【図９】
2004043007.tif 000011
【図１０】
2004043007.tif 000012
【図１１】
2004043007.tif 000013
【図１２】
2004043007.tif 000014
【図１３】
2004043007.tif 000015
【図１４】
2004043007.tif 000016